(57)【特許請求の範囲】
【請求項１】
情報処理装置にメモリを取り付ける取り付け装置であって、
前記メモリの挿入により前記情報処理装置との信号授受の端子を有するメモリスロットと、
前記情報処理装置の落下、振動によって前記メモリがその挿入方向とは逆方向に移動することを阻止し脱落を防止するメモリ脱落防止フレームを備え、
前記メモリ脱落防止フレームに、前記メモリとの隙間を無くすように配置した突起を一体に成形し、
前記情報処理装置の落下、振動により前記メモリが脱落する方向に脚を一体に成形し、前記脚が前記情報処理装置の筐体に当接するように構成したことを特徴とする情報処理装置のメモリ取り付け装置。
【発明の詳細な説明】
【技術分野】
【０００１】
本発明は、ノートパソコンのような携帯型の情報処理装置（以下、総称してノートパソコンと称す）の内部にメモリを取り付ける取り付け装置に関するものである。
【背景技術】
【０００２】
近年、ノートパソコンはその携帯性がゆえに屋外に持ち出す機会も多い。従って軽量、コンパクト（＝携帯性）以外にも堅牢性も要求される。誤って床に落下させても正しく動作するといったことも重要な要件なる。
【０００３】
以下に従来のノートパソコンの内部構成について説明する。
【０００４】
図３（Ａ）はノートパソコンのケースを取り外して内部を示した図である。
【０００５】
１１はパソコンのメモリ、ＲＡＭ（増設用メモリ、ＤＩＭＭ、以下、ＤＩＭＭ：Ｄｕａｌ  Ｉｎｌｉｎｅ  Ｍｅｍｏｒｙ  Ｍｏｄｕｌｅと称す。）であり、図示しないケースに着脱可能な蓋があり、これを取り外すことでＤＩＭＭの取り付け、取り外しが可能である。
【０００６】
図４はＤＩＭＭの取り付ける手順を示した図である。
【０００７】
１１はＤＩＭＭ、１２はメモリスロット、１３はスロットレバーである。図４（Ａ）のようにＤＩＭＭ１１の電極をメモリスロット１２の方向（矢印の方向）に向かって挿入する。ＤＩＭＭ１１の挿入後、スロットレバー１３を図４（Ｂ）の矢印に移動させてＤＩＭＭ１１を動かないように押さえつけて固定する（図４（Ｃ））。
また、他の従来技術として、特許文献１には、傾斜部を有する板バネの付勢によりメモリカードの装着状態を保持するようにしたものが示されている。
【特許文献１】特開２００２ー２４７７０号公報
【発明の開示】
【発明が解決しようとする課題】
【０００８】
しかしながら上記の従来の構成では、ＤＩＭＭが実装された状態でノートパソコンを誤って落下させてしまった場合、その衝撃でＤＩＭＭ１１がスロット１２から外れてしまう。また長時間の振動の結果、やはりＤＩＭＭ１１がスロット１２から抜け落ちてしまうこともあり得る。この時ノートパソコンは電源ＯＮしても正しく動作しない。ノートパソコンの場合、移動したり屋外に持ち出す機会も多くなり、このような事故は充分あり得ることである。
【０００９】
この対応策として図３（Ｂ）に示すように、ＤＩＭＭ１１が脱落する方向（矢印）へ移動しないようにフレーム１４−２を新たに設け、このフレーム１４−２によりＤＩＭＭ１１を支え、衝撃、振動でＤＩＭＭ１１がスロット１２から抜け落ちないようにしているものがある。
【００１０】
しかし、実際の落下テストの結果、図５に示すような過程でＤＩＭＭ１１はスロットレバー１３に加えてフレーム１４−２による対策に対してもスロット１２から抜け落ちることがある。すなわち、落下の衝撃でＤＩＭＭ１１はフレーム下部（図示）を歪曲させ（図５（Ｂ））、さらにＤＩＭＭ１１の重量と衝撃でフレーム１４−２から外れて抜け落ちる（図５（Ｃ））。
【００１１】
本発明は上記従来の問題点を解決するものであり、以下のような新たなＤＩＭＭ脱落防止フレーム構成とした。
（１）ＤＩＭＭが抜け落ちる方向への移動を阻止するＤＩＭＭ脱落防止フレームを設け、かつ、そのＤＩＭＭ脱落防止フレームに、前記ＤＩＭＭとの隙間を無くすように配置した突起を一体に成形したものである。
これにより、ＤＩＭＭを取り付けたときにＤＩＭＭ脱落防止フレームとＤＩＭＭの間に隙間がないようにすることで、落下の衝撃→「隙間あるので」ＤＩＭＭが抜け、移動→ＤＩＭＭの重みでフレーム歪曲→ＤＩＭＭ脱落、の過程を断つようにした。
（２）ＤＩＭＭ脱落防止フレームにノートパソコンの筐体に適当な隙間をもって当接する脚を一体に成形した。
（３）ＤＩＭＭ脱落防止フレームを落下の衝撃で歪曲しないようにリブを付けて補強する。
【課題を解決するための手段】
【００１２】
本発明は、情報処理装置にメモリ（ＤＩＭＭ）を取り付ける取り付け装置であって、前記メモリの挿入により前記情報処理装置との信号授受の端子を有するメモリスロットと、前記情報処理装置の落下、振動によって前記メモリがその挿入方向とは逆方向に移動することを阻止し脱落を防止するメモリ脱落防止フレームを備え、前記メモリ脱落防止フレームに、前記メモリとの隙間を無くすように配置した突起を一体に成形した情報処理装置のメモリ取り付け装置である。
【００１３】
また、本発明は上記に加えて、メモリ脱落防止フレームに、前記情報処理装置の落下、振動により前記メモリが脱落する方向に脚を一体に成形し、前記脚が前記情報処理装置の筐体に当接するように構成したメモリ取り付け装置である。
これにより、情報処理装置を誤って落下させてしまった場合、あるいは長時間振動を受けてもＤＩＭＭが抜け落ちることがなくなり、情報処理装置の電源ＯＮした時に正しく動作しないといったことを防止することができるという作用を有する。
【発明の効果】
【００１４】
以上のように本発明は、情報処理装置を誤って落下させてしまった場合、あるいは長時間振動を受けてもメモリが抜け落ちることがなくなり、情報処理装置の電源ＯＮした時に正しく動作しないといったことを防止することができるという優れた効果が得られる。
【発明を実施するための最良の形態】
【００１５】
以下、本発明の実施の形態について、図１から図２を用いて説明する。
【００１６】
（実施の形態１）
図１（Ａ）は本発明のメモリ取り付け装置であり、ＤＩＭＭとメモリスロット、ＤＩＭＭ脱落防止フレームを示している。図１（Ｂ）は本発明のメモリ取り付け装置のＤＩＭＭ脱落防止フレームの構成図である。
【００１７】
図２は本発明のメモリ取り付け装置の外観図であり、ノートパソコンのケースを取り外して内部を示している。ノートパソコン内部にＤＩＭＭとＤＩＭＭ脱落防止フレームを実装したようすを示している。
【００１８】
図１において、１１はパソコンのメモリ、ＲＡＭ（ＤＩＭＭ）であり、図示しないケースに着脱可能な蓋があり、これを取り外すことでＤＩＭＭの取り付け、取り外しが可能である。１２はメモリスロット、１３はスロットレバー、１４−１は本発明のＤＩＭＭ脱落防止フレームである。
【００１９】
以上のように構成されたメモリ取り付け装置について、図１、図２を用いてその詳細を説明する。
【００２０】
図１のＤＩＭＭ脱落防止フレーム１４−１では、
（１）ＤＩＭＭ１１が抜け落ちる方向へ移動するのを防止するために、ＤＩＭＭ脱落防止フレームを支えるリブを付けた一対の脚１６をＤＩＭＭ脱落防止フレームと一体成形し、その脚１６をノートパソコンの筐体に適当な隙間をもって当接する。
（２）ＤＩＭＭ１１が抜け落ちる方向の側のＤＩＭＭ脱落防止フレーム１４−１に一対の突起１７を設け、この突起１７によりＤＩＭＭ１１を取り付けたときにＤＩＭＭ脱落防止フレーム１４−１とＤＩＭＭ１１の間に隙間がないようにすることで、落下の衝撃→「隙間あるので」ＤＩＭＭが抜け、移動→ＤＩＭＭの重みでＤＩＭＭ脱落防止フレーム歪曲→ＤＩＭＭ脱落、の過程を断つようにしている。
（３）ＤＩＭＭ脱落防止フレーム１４−１が落下の衝撃で歪曲しないようにこのＤＩＭＭ脱落防止フレーム１４−１にリブ１５−１〜１５−３を設けて補強する。特にリブ１５−１、１５−２は落下の衝撃でＤＩＭＭ脱落防止フレーム１４−１が歪曲してＤＩＭＭ１１が抜け落ちないようにフレーム材を補強している。
【００２１】
これによりノートパソコンの落下により図２の矢印方向のＤＩＭＭ１１の抜け落ちは防止できる。なお、スロットレバー１３は図２の紙面上方向の脱落には有効である。
【００２２】
以上のように本実施の形態によれば、ノートパソコンのような機器は移動したり屋外に持ち出す機会も多くなり、ノートパソコンを誤って落下させてしまった場合、あるいは長時間振動を受けてもＤＩＭＭが抜け落ちることがなくなり、ノートパソコンの電源ＯＮした時に正しく動作しないといったことを防止することができる効果が得られる。
【００２３】
なお、以上の説明では携帯型情報処理装置としてノートパソコンを例にして説明したが移動や落下の可能性は少ないもののデスクトップ型パソコンに適用してもよいことは言うまでもない。
【産業上の利用可能性】
【００２４】
本発明のメモリ取り付け装置は、ノートパソコンのような携帯型情報処理装置において、誤って落下させてしまった場合でも内部のメモリが抜け落ちるようなことがないという堅牢なもので、有用である。
【図面の簡単な説明】
【００２５】
【図１】（Ａ）本発明のメモリ取り付け装置であり、ＤＩＭＭとメモリスロット、ＤＩＭＭ脱落防止フレームを示す図、（Ｂ）本発明のメモリ取り付け装置のＤＩＭＭ脱落防止フレームの構成図
【図２】本発明のメモリ取り付け装置の外観図
【図３】（Ａ）従来のノートパソコンのケースを取り外して内部を示した図、（Ｂ）従来のノートパソコンにフレームを新たに設けた図
【図４】ＤＩＭＭの取り付ける手順を示した図
【図５】ＤＩＭＭがスロットレバー，フレームの対策に対してスロットから抜け落ちる過程を示す図
【符号の説明】
【００２６】
１１  メモリ、ＲＡＭ（ＤＩＭＭ）
１２  メモリスロット
１３  スロットレバー
１４―１  ＤＩＭＭ脱落防止フレーム
１４―２  フレーム
１５  リブ
１６  ＤＩＭＭ脱落防止フレームの脚
１７  突起
【図１】
0004760334.tif 000002
【図２】
0004760334.tif 000003
【図３】
0004760334.tif 000004
【図４】
0004760334.tif 000005
【図５】
0004760334.tif 000006